(57)【要約】【課題】肌面へのミストの供給を効果的に行うことが可能なミスト発生装置を提供すること。【解決手段】正面にミスト放出口を備え、内蔵した貯液タンクから供給される液体を超音波振動子によりミスト化して前記ミスト放出口から放出させるようにしたミスト発生装置において、前記ミスト放出口の近傍に送風口を設け、該送風口から、前記ミスト放出口からのミスト放出方向に送風するように構成する。【選択図】図３
2013144015.tif 000002
【特許請求の範囲】
【請求項１】
正面にミスト放出口を備え、内蔵した貯液タンクから供給される液体を超音波振動子によりミスト化して前記ミスト放出口から放出させるようにしたミスト発生装置において、
前記ミスト放出口の近傍に送風口を設け、該送風口から、前記ミスト放出口からのミスト放出方向に送風するように構成したこと
を特徴とするミスト発生装置。
【請求項２】
正面にミスト放出口及び送風口を有し、所定の箇所に吸気口とを有する筐体と、
前記筐体内に収容された貯液タンクと、
前記筐体内に収容され、前記貯液タンク内の液体をミスト化して前記ミスト放出口から放出する噴霧装置と、
前記筐体の吸気口と送風口との間に形成された気体通路と、
前記気体通路内に配置されたヒータと、
前記気体通路内に配置され、前記吸気口から前記送風口に向けて送風する送風手段と、
を備えることを特徴とするミスト発生装置。
【請求項３】
正面にミスト放出口と送風口を有し、所定箇所に気体供給口、液体供給口、電源供給口のうちの少なくとも一つを有する筐体と、前記筐体内に収容された貯液タンクと、前記筐体内に収容され、前記貯液タンク内の液体をミスト化して前記ミスト放出口から放出する噴霧装置と、前記筐体の気体供給口と送風口との間に形成された気体通路と、
を備える子機と、
上面に前記子機の底面を着脱自在に嵌合可能な着脱部が形成され所定の箇所に吸気口を有する筐体と、前記子機が前記着脱部に嵌合された場合の前記気体供給口、前記液体供給口、前記電源供給口のうちのいずれかと対応する位置にそれぞれ開口し、前記吸気口から吸気された空気が前記気体供給口に供給されるように前記気体供給口と前記吸気口との間に形成された気体供給通路、前記液体供給口を介して前記貯液タンクに液体を供給する液体供給路、前記電源供給路介して前記噴霧装置に電力を供給する電力供給路の少なくとも一つを有する接続部と、前記気体供給通路内に配置されたヒータと、前記気体供給通路内に配置され前記吸気口から前記第気体供給口に向けて送風する送風手段と、
を備える台座と、
を具備することを特徴とするミスト発生装置。
【請求項４】
前記送風手段が、前記吸気口から空気を吸気し前記気体通路に放出するファンやエアーポンプ、前記気体通路にガス又は圧縮した空気を放出するボンベのうちのいずれかであることを特徴とする請求項２または３に記載のミスト発生装置。
【請求項５】
前記噴霧装置、前記ヒータ、前記送風手段のそれぞれに電力を供給するための２次電池と、
前記電力の供給のON-OFFを制御する制御部と、
をさらに備えることを特徴とする請求項２ない４のいずれか１項に記載のミスト発生装置。
【請求項６】
前記吸気口の近傍または前記空気流路に電極が配置されることを特徴とする請求項２ないし５のいずれか１項に記載のミスト発生装置。
【請求項７】
前記噴霧装置、送風手段、ヒータをそれぞれON・OFFする制御手段を更に有し、
前記制御手段は、
前記噴霧装置をON制御中に前記噴霧装置をON制御にする第１のモードと、
前記噴霧装置及び前記送風手段のON・OFF制御を交互に切り替えて、前記送風手段をOFF制御中は、前記噴霧装置をON制御し、前記送風手段をON制御中は、前記噴霧装置をOFF制御する第２のモードと
を備えることを特徴とする請求項２ないし６のいずれか1項に記載のミスト発生装置。
【請求項８】
前記ヒータが前記貯液タンク近傍に配置され、前記貯液タンク内の液体を加熱すること
を特徴とする請求項２ないし７のいずれか１項に記載のミスト発生装置。
【請求項９】
前記送風口から放出される風によって前記ミスト放出口から放出されたミスト化された液体が上方向に誘導されるための傾斜部を前記気体通路が備えることを特徴とする請求項２ないし８のいずれか１項に記載のミスト発生装置。
【請求項１０】
前記送風口が複数設けられ、この複数の送風口が前記ミスト放出口と同心円状に配置されることを特徴とする請求項１ないし９のいずれか１項に記載のミスト発生装置。
【発明の詳細な説明】
【技術分野】
【０００１】
本発明の実施形態は、水や美容液などの液体を微粒化したミストを肌面に供給して美容処理を行うことが可能なミスト発生装置に関する。
【背景技術】
【０００２】
携帯性に優れ、ユーザの顔などに液体を噴霧して肌に潤いを与え、または肌の細胞組織の活性を高める美容処理を行う噴霧装置が知られている。
【先行技術文献】
【特許文献】
【０００３】
【特許文献１】実用新案登録第３１６１９９６号公報
【発明の概要】
【発明が解決しようとする課題】
【０００４】
上記装置は、噴霧装置に設けられた噴霧口から微粒化したミストを肌面に向かって放出するものである。このとき、ミストを肌面に効率的に供給させるためには、噴霧口を肌面に対してある程度近づける必要があり、装置本体を手に持って美容処理を行なう場合には、無理な体勢を強いられたり、寝室などで装置本体を台座に置いて使用するときには、肌面への効果的な噴霧が難しかったりするなどの問題が起こることがあった。
【０００５】
本発明は、このような事情を考慮してなされたものであり、肌面へのミストの供給を効果的に行うことが可能なミスト発生装置を提供することを目的とする。
【課題を解決するための手段】
【０００６】
実施形態のミスト発生装置は、正面にミスト放出口を備え、内蔵した貯液タンクから供給される液体を超音波振動子によりミスト化して前記ミスト放出口から放出させるようにしたミスト発生装置において、前記ミスト放出口の近傍に送風口を設け、該送風口から、前記ミスト放出口からのミスト放出方向に送風するように構成したことを特徴とする。
実施形態のミスト発生装置は、正面にミスト放出口及び送風口を有し、所定の箇所に吸気口とを有する筐体と、前記筐体内に収容された貯液タンクと、前記筐体内に収容され、前記貯液タンク内の液体をミスト化して前記ミスト放出口から放出する噴霧装置と、前記筐体の吸気口と送風口との間に形成された気体通路と、前記気体通路内に配置されたヒータと、前記気体通路内に配置され、前記吸気口から前記送風口に向けて送風する送風手段と、を備えるようにしてもよい。
【０００７】
実施形態のミスト発生装置は、正面にミスト放出口と送風口を有し、所定箇所に気体供給口、液体供給口、電源供給口のうちの少なくとも一つを有する筐体と、前記筐体内に収容された貯液タンクと、前記筐体内に収容され、前記貯液タンク内の液体をミスト化して前記ミスト放出口から放出する噴霧装置と、前記筐体の気体供給口と送風口との間に形成された気体通路と、を備える子機と、上面に前記子機の底面を着脱自在に嵌合可能な着脱部が形成され所定の箇所に吸気口を有する筐体と、前記子機が前記着脱部に嵌合された場合の前記気体供給口、前記液体供給口、前記電源供給口のうちのいずれかと対応する位置にそれぞれ開口し、前記吸気口から吸気された空気が前記気体供給口に供給されるように前記気体供給口と前記吸気口との間に形成された気体供給通路、前記液体供給口を介して前記貯液タンクに液体を供給する液体供給路、前記電源供給路介して前記噴霧装置に電力を供給する電力供給路の少なくとも一つを有する接続部と、前記気体供給通路内に配置されたヒータと、前記気体供給通路内に配置され前記吸気口から前記第気体供給口に向けて送風する送風手段と、を備える台座とから構成してもよい。
【０００８】
送風手段は、吸気口から空気を吸気し前記気体通路に放出するファンやエアーポンプ、前記気体通路にガス又は圧縮した空気を放出するボンベのうちのいずれかであってもよい。噴霧装置、ヒータ、送風手段のそれぞれに電力を供給するための２次電池と、電力の供給のON-OFFを制御する制御部と備えることがのぞましい。
吸気口の近傍または空気流路に電極を配置してもよい。
【０００９】
噴霧装置、送風手段、ヒータをそれぞれON・OFFする制御手段を更に有し、制御手段は、噴霧装置をON制御中に前記噴霧装置をON制御にする第１のモードと、噴霧装置及び送風手段のON・OFF制御を交互に切り替えて、送風手段をOFF制御中は、噴霧装置をON制御し、送風手段をON制御中は、噴霧装置をOFF制御する第２のモードとを備えることが望ましい。ヒータが貯液タンク近傍に配置され、貯液タンク内の液体を加熱するように構成することもできる。
送風口から放出される風によってミスト放出口から放出されたミスト化された液体が上方向に誘導されるための傾斜部を気体通路が備えることが望ましい。
送風口が複数設けられ、この複数の送風口をミスト放出口と同心円状に配置してもよい。
【発明の効果】
【００１０】
本発明によれば、肌面へのミストの供給を効果的に行うことが可能なミスト発生装置を提供できる。
【図面の簡単な説明】
【００１１】
【図１】本発明の第１実施形態にかかるミスト発生装置１を正面から見た図。
【図２】ミスト発生装置１を背面から見た図。
【図３】ミスト発生装置１の内面を一部模式的に示す断面図。
【図４】ミスト発生装置１の変形例であるミスト発生装置１ａの内面を一部模式的に示す断面図。
【図５】ミスト発生装置１の変形例であるミスト発生装置１ｂの内面を一部模式的に示す断面図。
【図６】ミスト発生装置１の変形例であるミスト発生装置１ｃの内面を一部模式的に示す断面図。
【図７】本発明の第２実施形態にかかるミスト発生装置２の内面を一部模式的に示す断面図。
【図８】ミスト発生装置２の変形例であるミスト発生装置２ａの内面を一部模式的に示す断面図。
【発明を実施するための形態】
【００１２】
以下、実施の形態を図に基づき説明する。
［第１実施形態］
（ミスト発生装置１について）
図１は、この実施形態のミスト発生装置１を正面側から見た平面図である。図２は、ミスト発生装置１を背面から見た平面図である。
図１に示すようにミスト発生装置１は、筺体１０を備え、その正面にはミスト放出孔１００及び気体放出孔１２０aが設けられている。筺体１０の上方には、使用者によって開閉される蓋部１０１が設けられている。また、筺体１０の側面には、使用者によって操作されるスイッチ１１１の一部が露出している。
【００１３】
ミスト放出孔１００は、筐体１０内部に配置された超音波振動子ユニット１０５の駆動によって霧化した水や化粧水（以下、これらを「液体」と称す。）を放出（噴霧）するための孔である。このミスト放出孔１００から放出した霧化した液体を使用者の肌面に供給することによって、保湿などの美容処理が行える。
気体放出孔１２０aは、送風口である。気体放出孔１２０aは、ミスト放出孔１００の下部に配置された孔である。ここでは、ミスト放出孔１００の外周縁に沿うように３つの気体放出孔１２０aが配置されている。気体放出孔１２０aからは液体の噴霧方向に向かって温風または冷風のどちらかが放出される。ミスト放出孔１００から液体が噴霧されているときに気体放出孔１２０aから気体が放出されることによって、ミスト放出孔１００から噴霧された液体が、放出方向に力を加えられる。結果として噴霧された液体は、より遠くに放出されるようになる。
【００１４】
図２に示すように、筺体１０の背面には、複数の空気取込孔１２０bが設けられている。なお、図２において、裏側に配置されていることを示すために、ミスト放出孔１００などを破線で示している。
空気取込孔１２０bは吸気口である。空気取込孔１２０bは、筐体１０の表面から内面に貫通する孔であり、気体放出孔１２０aから風を放出するための空気を筐体１０内に取り込むために設けられている。ここでは空気取込孔１２０bは、筐体１０の真ん中よりもやや下側（筐体１０の裏側に配置されている空気取込孔１２０bよりも所定の長さ分下側）に密集して設けられている。
【００１５】
次に図３を用いて筐体１０の内部を説明する。図３に示すように、筺体１０内には、空間１０２、化粧液導出部１０３、超音波振動子ユニット１０５、気体流路１２１、ファン１２３、ヒータ１２５、制御用電子回路基板１１３、バッテリー１１５、筺体１０表面に露出したスイッチ１１１の他の部分１１１a、電源接続部１１７、これらを電気的に接続する配線１１９などが配置される。なお、図を見やすくするために、ここでは超音波振動子ユニット１０５に接続する配線１１９を破線で示している。
空間１０２は、高い気密性を有し、ミスト化されて噴霧される液体を貯える貯液タンクである。空間１０２には、蓋部１０１開閉によって、図３中に「L」で示すように液体が供給される。空間１０２は、貯留する液体が下方の化粧液導出部１０３に向けて重力作用を及ぼすように筺体１０の上側に設置されている。
ここでは空間１０２そのものを貯液タンクとして形成しているが、空間１０２をこの空間１０２に着脱自在に交換可能な図示はしないプラスチック製の貯液ボトルなどを保持する保持手段として機能するように形成することもできる。
【００１６】
化粧液導出部１０３は、空間１０２の下方に設けられている。化粧液導出部１０３の出口には、超音波振動子ユニット１０５が設置されている。化粧液導出部１０３の出口は超音波振動子ユニット１０５を介して、ミスト放出孔１００に接続する。
超音波振動子ユニット１０５は噴霧装置である。超音波振動子ユニット１０５は、化粧液導出部１０３から導出される液体を霧化してミスト放出孔１００から筺体１０の外部に放出する。超音波振動子ユニット１０５は、微細孔が設けられたマイクロチップ１０５aとリング状の圧電セラミックス（ＰＺＴ）１０５ｂを接合してウェーハ状としたものである。圧電セラミックス１０５ｂは、制御用電子回路基板１１３によって電圧印加が制御され、電圧の印加により圧電セラミックス１０５ｂが振動し、一体に接合しているマイクロチップ１０５aを前後方向に振動させる。
例えば、マイクロチップ１０５aが１３０ＫＨｚの超音波周波数で前後に振動するように制御されると、このマイクロチップ１０５aの両側に気圧差を生じて、液体が微小な水滴に霧化されてミスト放出孔１００から放出される。
【００１７】
気体流路１２１は、気体が流れる通路である。気体流路１２１は、筐体１０内において気体放出孔１２０aと空気取込孔１２０bを接続するための管路である。気体流路１２１は、空気取込孔１２０b近傍の幅広の部分１２１―１と、この幅広の部分から気体放出孔１２０aにかけて設けられる幅狭の部分１２１-２とを備える。幅広の部分１２１―１から幅狭の部分１２１-２に気体が流入した場合には、これらの幅の差によって気体の速度が上がり、気体放出孔１２０aから勢いよく放出される。気体流路１２１内には、ファン１２３、ヒータ１２５が配置される。
ファン１２３は送風手段である。ファン１２３は、シロッコファン、ターボファンなどの送風機である。ファン１２３は、空気取込孔１２０b近傍に配置され、空気取込孔１２０bから筐体１０外の空気を取り込み、気体放出孔１２０aに送風する。
【００１８】
ヒータ１２５は、ニクロム線などで構成される発熱体である。ヒータ１２５は、気体流路１２１の所定の場所（例えば、ファン１２３の排気口近傍や吸気口近傍、気体放出孔１２０a近傍など）に配置され、ファン１２３が空気取込孔１２０bから取り込んだ空気を温めるのに使用される。
電源接続部１１７は、一部を筐体１０の底面に露出する。電源接続部１１７は、図示はしないコードによって商用の電源やパソコンのＵＳＢ端子と接続されて電力を供給可能とする電源端子部である。電源接続部１１７から供給される電力によってファン１２３、ヒータ１２５、超音波振動子ユニット１０５などを駆動できる。
バッテリー１１５は、二次電池（例えば、リチウムイオン電池やキャパシタなど）から構成され、制御用電子回路基板１１３の電子回路からの制御信号により外部から電力の供給を受けて充電される。
【００１９】
バッテリー１１５は、電源接続部１１７から電力を供給できない場合（例えば、ミスト発生装置１が使用者によって携帯され、商用電源などに接続できない場合）に超音波振動子ユニット１０５を駆動するための電源である。バッテリー１１５は、このほかにもファン１２３やヒータ１２５などに電力を供給するようにしてもよい。ただし、ファン１２３やヒータ１２５などは電力の消費量が多いため、通常はバッテリー１１５からの供給は行わない。
スイッチ１１１は、使用者が超音波振動子ユニット１０５の駆動のＯＮ−ＯＦＦを制御するためのものである。使用者のスイッチ１１１の操作を制御用電子回路基板１１３の制御回路が検知すると、この制御回路が超音波振動子ユニット１０５を駆動させる。
【００２０】
制御用電子回路基板１１３の電子回路は、超音波振動子ユニット１０５、バッテリー１１５、スイッチ１１１、ファン１２３、ヒータ１２５、電源接続部１１７などと電気的に接続されており、ファン１２３、ヒータ１２５、超音波振動子ユニット１０５への通電、スイッチ１１１の押下操作の検知、バッテリー１１５の充電などの各種の制御を行う制御回路を構成する。
制御用電子回路基板１１３には、特別に図示はしないタイマ回路が形成されており、時間を計時できる。制御用電子回路基板１１３は計時した時間に対応させて超音波振動子ユニット１０５、ファン１２３、ヒータ１２５などのON-OFFを切り替える。
【００２１】
制御用電子回路基板１１３は、電源接続部１１７からの電力の供給の有無及びスイッチ１１１の押下操作の検知に対応して以下（１）、（２）のような制御を行う。
（１）電源接続部１１７からの電力の供給がある場合の制御
（１-１）……温風を気体放出孔１２０aから放出させ、ミスト放出孔１００から液体を噴霧させる。具体的には、制御用電子回路基板１１３が、電源接続部１１７から供給された電力に基づいて超音波振動子ユニット１０５、ファン１２３、ヒータ１２５を駆動させることで行う（第１のモード）。
【００２２】
（１-２）……冷風を気体放出孔１２０aから放出させ、ミスト放出孔１００から液体を噴霧させる。具体的には、制御用電子回路基板１１３が電源接続部１１７から供給された電力に基づいて超音波振動子ユニット１０５、ファン１２３を駆動させることにより行う（すなわち、ヒータ１２５を駆動させない）。
（１-３）……上記（１-１）、（１-２）を交互に繰り返し気体放出孔１２０aから温風、冷風を交互に放出する（第２のモード）。具体例１：液体の噴霧はずっと継続し、温風、冷風を交互に切り替える。具体例２：液体の噴霧→温風の放出と同時に液体の噴霧停止→液体の噴霧→冷風の放出と同時に液体の噴霧停止。という一連の動作を繰り替えす（液体噴霧及び温冷風の間欠動作）。
（１-４）……ミスト放出孔１００から液体を噴霧させる。具体的には、制御用電子回路基板１１３が電源接続部１１７から供給された電力に基づいて超音波振動子ユニット１０５を駆動させることにより行う（すなわち、ファン１２３、ヒータ１２５を駆動させない）。
【００２３】
（２）電源接続部１１７からの電力の供給がない場合の制御
（２-１）……ミスト放出孔１００から液体を噴霧させる。具体的には、制御用電子回路基板１１３がバッテリー１１５から供給された電力に基づいて超音波振動子ユニット１０５を駆動させることにより行う（すなわち、ファン１２３、ヒータ１２５を駆動させない）。
（２-２）……上記（１-１）、（１-２）のように、バッテリー１１５から供給された電力に基づいて超音波振動子ユニット１０５、ファン１２３及びまたはヒータ１２５を駆動させて、温風または冷風を気体放出孔１２０aから放出させ、ミスト放出孔１００から液体を噴霧させる場合もある。
【００２４】
（ミスト発生装置１の動作の説明）
次に、ミスト発生装置１の動作を説明する。ミスト発生装置１は、室内または屋外での美容処理を主な目的とした装置である。使用者は、使用者の自宅などで商用電源などを用いて美容処理を行うか、バッグなどに入れて持ち運び、持ち運んだ先でバッテリー１１５の電力を用いて美容処理を行う。
ミスト発生装置１では、ミスト放出孔１００から噴霧された液体によって美容処理を行うことができる。このとき、ファン１２３及びヒータ１２５の駆動によって気体放出孔１２０aから放出する温風または冷風が放出される。このとき温風または冷風の放出によって霧状の液体の飛距離が伸びるため、楽な姿勢で美容処理を行える。霧状の液体の飛距離は、温風または冷風を放出しない場合に３０ｃｍであった場合、温風または冷風を放出することによって５０ｃｍに伸びることもある。
温風または冷風を放出することにより、さらなる効果が得られる。気体放出孔１２０aから放出する温風によって毛穴が開き、霧状の液体が効率よく肌面内へと導入できる。そして、冷風によって毛穴を引き締め、美容処理効果を高めることができる。
【００２５】
[変形例１]
次に図４を用いて本発明のミスト発生装置１の変形例であるミスト発生装置１ａについて説明する。以下の説明では、ミスト発生装置１と構成・機能において対応する部分については、重複する説明を省略する。
図４に示すようミスト発生装置１ａは筺体１０を備える。筺体１０内には、空間１０２、化粧液導出部１０３、超音波振動子ユニット１０５、気体流路１２１、ファン１２３、ヒータ１２５、制御用電子回路基板１１３、バッテリー１１５、筺体１０表面に露出したスイッチ１１１の他の部分１１１a、電源接続部１１７、これらを電気的に接続する配線１１９などが配置される。
【００２６】
さらにミスト発生装置１ａは、一対の電極を備えるスパークユニット１２９及びこのスパークユニット１２９に電圧を印加するための配線１１９ａなどを内蔵する。
スパークユニット１２９は、気体流路１２１内の空気の通り道に配置される。スパークユニット１２９は、気体流路１２１内であれば、設置場所を特に限定されない。スパークユニット１２９を空気取込孔１２０b近傍やヒータ１２５近傍に配置してもよい。ここでは気体放出孔１２０a近傍に設けられている。スパークユニット１２９は、電源接続部１１７やバッテリー１１５を電力源として、制御用電子回路基板１１３によって電圧の印加をON-OFFされる。スパークユニット１２９に印加された電圧により気体流路１２１内を流れる空気の陰イオン濃度を高めることが可能と言われている。このように電圧が印加されたスパークユニット１２９を備えることにより美容処理をより効果的に行なうことが期待できる。
【００２７】
[変形例２]
次に図５を用いて本発明のミスト発生装置１または１ａからヒータ１２５の配置を変更した変形例であるミスト発生装置１ｂについて説明する。以下の説明では、ミスト発生装置１または１ａと構成・機能において対応する部分については、重複する説明を省略する。
図５に示すようミスト発生装置１ｂは、筺体１０を備える。筺体１０内には、空間１０２ａ、化粧液導出部１０３、超音波振動子ユニット１０５、気体流路１２１、ファン１２３、ヒータ１２５、制御用電子回路基板１１３、バッテリー１１５、筺体１０表面に露出したスイッチ１１１の他の部分１１１a、電源接続部１１７、これらを電気的に接続する配線１１９などが配置される。
【００２８】
ミスト発生装置１ｂでは、ヒータ１２５が空間１０２ａの下部に配置されており、ヒータ１２５の発熱によって、空間１０２ａ内の液体が温められる。空間１０２ａは空間１０２とほぼ同じ構成を備えるが、ヒータ１２５の熱が液体に伝わりやすいように、例えば金属などの熱伝導性が良い部材１０２-１を底部に備える。なお、空間１０２ａの底部だけでなく、空間１０２ａを構成する筐体１０の壁面全てに部材１０２-１を貼付けるようにしてもよい。また、空間１０２ａを部材１０２-１によって形成するようにしてもよい。
以上のように、ヒータ１２５を空間１０２ａの下部に配置することにより、気体流路１２１内の空気と液体とを同時に温めることが可能となる。使用者は温められた液体により美容処理を行える。なお、ヒータ１２５は、液体を温める専用のもの、気体流路１２１内の空気を温める専用のものなど、筐体１０内に複数個配置してもよい。
【００２９】
[変形例３]
次に図６を用いて本発明のミスト発生装置１〜１ｂのいずれかの気体流路１２１の形状の変形例であるミスト発生装置１ｃについて説明する。以下の説明では、ミスト発生装置１〜１ｂと構成・機能において対応する部分については、重複する説明を省略する。
図６に示すようミスト発生装置１ｂは、筺体１０内に空間１０２、化粧液導出部１０３、超音波振動子ユニット１０５、気体流路１２１ａ、ファン１２３、ヒータ１２５、制御用電子回路基板１１３、バッテリー１１５、筺体１０表面に露出したスイッチ１１１の他の部分１１１a、電源接続部１１７、これらを電気的に接続する配線１１９などが配置される。
【００３０】
気体流路１２１ａは幅広の部分１２１―１、幅狭の部分１２１ａ-２を備える。幅狭の部分１２１-２ａは、図３に示す幅狭の部分１２１-２と同様の構成を備えるが、幅広の部分１２１-１から気体放出孔１２０aにかけて上方向に傾斜するように設けられる。
このように、上方向に傾斜するように幅狭の部分１２１ａ-２を設けることで、気体放出孔１２０aから風が上方向に放出される様になり、霧化された液体をより遠くまで放出させやすくなる。
【００３１】
［第２実施形態］
次に図７を用いて第２の実施形態のミスト発生装置２について説明する。以下の説明では、ミスト発生装置１〜１ｃと構成・機能において対応する部分については、重複する説明を省略する。
図７に示すようにミスト発生装置２は、ミスト発生装置１〜１ｃのいずれかと対応する構成・機能を一部備える子機１ｄと、この子機１ｄを出し入れ自在に装着可能であり、ミスト発生装置１〜１ｃの構成・機能を一部備える親機２００とから構成される。
（子機１ｄについて）
子機１ｄは、筺体１０aを備え、その正面や上方、側面、底面には図１〜３に示すミスト発生装置１と同様に、ミスト放出孔１００、気体放出孔１２０a、蓋部１０１が設けられ、スイッチ１１１の一部、電源接続部１１７の一部などが露出している。さらに筺体１０aの底面には、信号送受信端子１１８の一部が露出し、気体供給口１２２が開口している。
【００３２】
信号送受信端子１１８は、親機２００との種々の信号の送受信に使用される。「種々の信号」の一例は、超音波振動子ユニット１０５などの駆動ON-OFF信号である。
気体供給口１２２は、親機２００から空気を供給されるため接続部である。
筺体１０a内には、空間１０２、化粧液導出部１０３、超音波振動子ユニット１０５、気体流路１２１ｂ、制御用電子回路基板１１３ａ、バッテリー１１５、筺体１０表面に露出したスイッチ１１１の他の部分１１１a、電源接続部１１７、信号送受信端子１１８、これらを電気的に接続する配線１１９などが配置される。
【００３３】
気体流路１２１ｂ、は接続管路１２１ｂ-１及び図３に示す幅狭の部分１２１-２と同様の構成を備える幅狭の部分１２１ｂ−２を備える。
接続管路１２１ｂ-１は、幅狭の部分１２１ｂ−２と気体供給口１２２を接続し、気体供給口１２２に供給された親機２００からの空気やガスなどの気体を幅狭の部分１２１ｂ−２に送る。結果として、親機２００から供給された空気が気体放出孔１２０aか放出される。
図３に示した制御用電子回路基板１１３と同様の機能・構成を有する制御用電子回路基板１１３ａは、信号送受信端子１１８を介して受信した信号に基づいて、超音波振動子ユニット１０５のON-OFFなどを制御できる。
【００３４】
（親機２００について）
親機２００は、筐体２０を備える。筐体２０は、正面に、スイッチ２１１、インジケータ２１２の一部を露出させ、背面には空気取込孔１２０bと対応する空気取込孔２２０bおよび商用電源と接続される電源コード２０３が設けられる。筐体２０の上面には、子機１ｄが装着される装着部２０1が形成される。筐体２０内には、ファン１２３、ヒータ１２５、電源コード２０３が接続される電源接続部２０５、制御用電子回路基板２１３これらを電気的に接続する導線２１９、気体通路２２２などが内蔵される。
【００３５】
スイッチ２１１は、子機１ｄが備えるスイッチ１１１と対応する機能を備え、使用者による操作によって、超音波振動子ユニット１０５、ファン１２３、ヒータ１２５の駆動をON-OFFできる。
インジケータ２１２は、例えばLEDランプである。インジケータ２１２の点消灯によって超音波振動子ユニット１０５、ファン１２３、ヒータ１２５の駆動状態や子機１ｄへの液体の供給の要否、バッテリー１１５の充電の要否などを使用者に通知できる。
装着部２０1は接続部である。装着部２０1には、子機１ｄが備える電源接続部１１７、信号送受信端子１１８、気体供給口１２２にそれぞれ出し入れ自在に挿入される電源供給端子２１７、信号送受信端子２１８、気体通路２２２の一部が露出する。
【００３６】
電源供給端子２１７は、電力供給路の一部である。電源供給端子２１７は、電源コード２０３を介して供給された電力を子機１ｄに給電するための端子である。信号送受信端子２１８は、子機１ｄが備える超音波振動子ユニット１０５などの駆動のON―OFF信号や超音波振動子ユニット１０５、ファン１２３、ヒータ１２５の駆動状態や子機１ｄへの液体の供給の要否、バッテリー１１５の充電の要否を示す信号などを子機１ｄが備える制御用電子回路基板１１３ａと送受信するため端子である。
気体通路２２２は、気体供給通路である。気体通路２２２は、気体流路１２１と対応する機能を備え、空気取込孔２２０bから取り込んだ空気を子機１ｄに供給するための接続管である。この気体通路２２２内にはファン１２３、ヒータ１２５が設けられる。
【００３７】
制御用電子回路基板２１３は、子機１ｄが備える制御用電子回路基板１１３と対応する構成・機能を備える。制御用電子回路基板２１３は、例えば以下のような制御を行なう。
（１）使用者によるスイッチ２１１の操作の検知
（２）電源供給端子２１７、信号送受信端子２１８を介して制御用電子回路基板１１３ａとの信号の送受信を行って、超音波振動子ユニット１０５を駆動させる。
（３）ファン１２３やヒータ１２５を駆動させる。
（４）インジケータ２１２の点消灯を制御する。
【００３８】
上記したような構成を備えるミスト発生装置２では、親機２００が備えるファン１２３の駆動によって、筐体２０内に空気取込孔２２０bから空気が取り込まれる。ファン２３の駆動によって取り込まれた空気は気体通路２２２を介して子機１ｄの気体流路１２１ｂに供給され、結果として気体放出孔１２０aから風として排出される。そして、この排出された風によって図１〜３に示して説明したミスト発生装置１と同様の効果が得られる。
ミスト発生装置２では、ファン１２３やヒータ１２５を親機２００が備えることによって、子機１ｄをより軽量に、より薄型にできる。この結果、子機１ｄの携帯性が向上する。
【００３９】
［変形例４］
次に図８を用いて本発明のミスト発生装置２の変形例であるミスト発生装置２ａについて説明する。以下の説明では、ミスト発生装置２と構成・機能において対応する部分については、重複する説明を省略する。
図８に示すようミスト発生装置２ａは、子機１ｄに構成・機能が一部対応する子機１e、親機２００に構成・機能が一部対応する親機２００aとから構成される。
【００４０】
（子機１eについて）
子機１eは、親機２００aから液体を供給されて、長時間の美容処理が可能となる。子機１eは、筺体１０bを備える。筺体１０b内には化粧液導出部１０３、超音波振動子ユニット１０５、気体流路１２１、ファン１２３、ヒータ１２５、制御用電子回路基板１１３、バッテリー１１５、筺体１０表面に露出したスイッチ１１１の他の部分１１１a、電源接続部１１７、これらを電気的に接続する配線１１９などが配置される。
さらに筺体１０ｂは、空間１０２b、親機２００ａから液体を供給可能とするための液体供給管１３１が内蔵される。
空間１０２ｂは上部に液体供給管１３１と接続される接続部１０２ｂ-１を備える。その他の構成・機能は図３などに示す空間１０２と同様である。
【００４１】
液体供給管１３１は、液体供給路である。液体供給管１３１は、一端が筐体１０ｂの底面に開口し、他端が空間１０２ｂに接続している。この結果、液体供給管１３１の開口から液体が供給されることで、空間１０２ｂに液体が貯液される。なお、ここでは特に図示しないが、空間１０２ｂ内の液体が漏れてしまうことを防止するための弁を液体供給管１３１の所定の場所に設けることが望ましい。
【００４２】
（親機２００ａについて）
親機２００ａは、筐体２０ａを有する。筐体２０ａは、装着部２０1、スイッチ２１１、インジケータ２１２、空気取込孔２２０b、電源コード２０３、ファン１２３、ヒータ１２５、電源接続部２０５、気体通路２２２を備える。
さらに親機２００ａは、貯液部２３０、給液管２３１、給液ポンプ２３４、制御用電子回路基板２１３ａを備える。給液ポンプ２３４、ファン１２３、ヒータ１２５などと制御用電子回路基板２１３ａとは導線２１９によって電気的に接続される。
貯液部２３０は、子機１eに供給される液体を蓄えるタンクである。貯液部２３０は空間１０２ｂよりも多くの液体を蓄えられる。貯液部２３０は、筐体２０ａに一体的に設けられた気密性を有する空間でもよいし、筐体２０ａ着脱自在な貯液ボトルでもよい。
【００４３】
給液管２３１は、貯液部２３０と子機１eの液体供給管１３１とを接続する管である。給液管２３１の一端側は、装着部２０1に露出しており、装着部２０1に子機１eが装着された際に、液体供給管１３１に挿入される。給液管２３１の他端部は、貯液部２３０の下部と接続されている。
給液管２３１には給液ポンプ２３４が配置される。
給液ポンプ２３４は、制御用電子回路基板２１３と対応する構成・機能を有する制御用電子回路基板２１３ａによって駆動を制御され、貯液部２３０内の液体を子機１eの空間１０２ｂに供給する。
【００４４】
以上のような構成を備えるミスト発生装置２ａは、貯液部２３０、給液管２３１、給液ポンプ２３４を備えることによって、より多くの液体を貯液できる。使用者は、例えばミスト発生装置２ａを寝室などに置いて就寝中に長時間にわたって肌面に霧化した液体を供給することができる。以上がミスト発生装置２ａの説明であるが、ミスト発生装置２ａは種々の変形が考えられる。例えば、図５に示したようにヒータ１２５を給液管２３１または貯液部２３０の所定の場所に密着させて設けてもよい。この結果、ヒータ１２５によって液体を加熱することができ、温かい液体による美容処理を長時間ほどこすことが可能となる。
【００４５】
［変形例５］
以上、図１〜８を用いてミスト発生装置１、２とその変形例１〜４などを説明したが、ミスト発生装置１、２は、さらなる変形が可能である。例えば、空気取込孔１２０bや２２０ｂの形成箇所は筐体１０、２００などの背面に限定されず、空気を筐体内に取り込み可能ならば、任意の場所に形成してよい。
また、例えば、ファン１２３を他の送風手段で置き換えてもよい。この場合、送風手段として、空気を送風するポンプや圧縮空気やガスを排気するボンベなどを適用できる。ボンベなどを送風手段として用いる場合には、筐体１０、２００などに空気取込孔１２０b、２２０ｂなどを設けなくともよい。
また、ミスト発生装置１〜１ｃ、子機１ｄ、１eが備える信号送受信端子１１８、電源接続部１１７、気体供給口１２２、液体供給管１３１の開口などの設置場所は、筐体１０などの底面部に限定されず、筐体１０の背面など所定の場所に設けても良い。これに対応させて、親機１００などが備える電源供給端子２１７、信号送受信端子２１８、気体通路２２２の一端部、給液管２３１の一端部なども筐体２０などの所定の場所に設けることができる。
【００４６】
さらに、例えばミスト発生装置１などにおいて、筐体１０を空間１０２、化粧液導出部１０３、超音波振動子ユニット１０５などを備えるヘッド部と、制御用電子回路基板１１３、バッテリー１１５、気体流路１２１、ファン１２３、ヒータ１２５などを備える本体部の２つの要素に分離するような構成にしてもよい。この場合には、電気モータによってヘッド部と本体部とを接続することで、本体部に対してヘッド部が首振り運動をさせることができ、液体の噴霧範囲を広げられる。「首振り運動」は縦、横、斜めのいずれかである。
【００４７】
ミスト発生装置１などでは、気体放出孔１２０aをミスト放出孔１００の下部に配置したが、気体放出孔１２０aをミスト放出孔１００の上部にも設けてもよい。例えば、気体放出孔１２０aを、全体としてミスト放出孔１００と同心の円形状を成すように配置することができる。
また、親機２００などが、子機１ｄなどが有する要素を備えてもよい。例えば、親機２００が超音波振動子ユニット１０５を備えてもよい。例えば親機２００が図４に示したようなスパークユニット１２９を備えてもよい。この場合、スパークユニット１２９は、気体通路２２２内の所定の場所に配置され、制御用電子回路基板２１３によってON-OFFが制御される。
【符号の説明】
【００４８】
１,１ａ,１ｂ,１ｃ,２,２a…ミスト発生装置、１ｄ,１e…子機、２ａ…ミスト発生装置、１０,１０a,１０ｂ,２０,２０ａ…筐体、２３…ファン、１００…ミスト放出孔、１０１…蓋部、１０２…空間、１０２b…空間、１０２ａ…空間、１０２-１…部材、１０２ｂ…空間、１０３…化粧液導出部、１０５…超音波振動子ユニット、１０５a…マイクロチップ、１０５ｂ…圧電セラミックス、１１１…スイッチ、１１３…制御用電子回路基板、１１３ａ…制御用電子回路基板、１１５…バッテリー、１１７…電源接続部、１１８…信号送受信端子、１１９…配線、１２０a…気体放出孔、１２０b…空気取込孔、１２１ｂ-１…接続管路、１２１…気体流路、１２１ａ…気体流路、１２１ｂ…気体流路、１２２…気体供給口、１２３…ファン、１２５…ヒータ、１２９…スパークユニット、１３１…液体供給管、２００…親機、２００ａ…親機、２０1…装着部、２０３…電源コード、２０５…電源接続部、２１１…スイッチ、２１２…インジケータ、２１３…制御用電子回路基板、２１３ａ…制御用電子回路基板、２１７…電源供給端子、２１８…信号送受信端子、２１９…導線、２２０b…空気取込孔、２２２…気体通路、２３０…貯液部、２３１…給液管、２３４…給液ポンプ。
【図１】
2013144015.tif 000003
【図２】
2013144015.tif 000004
【図３】
2013144015.tif 000005
【図４】
2013144015.tif 000006
【図５】
2013144015.tif 000007
【図６】
2013144015.tif 000008
【図７】
2013144015.tif 000009
【図８】
2013144015.tif 000010